(57)【要約】    【課題】  湿式工程を行わなくとも、建造物の内側面に密着した状態で、内側面を仕上シートで覆えるようにする。    【解決手段】  ベース第１部材１００を、天井材１０の仕上シート３０で覆うべき矩形の範囲の両端に、向かい合わせで固定する（図１（Ａ））。次に、ベース第２部材２００をベース第１部材１００に固定する（同（Ｂ））。その際、ベース第２部材２００の第２噛合わせ部２２０とベース第１部材１００の第１噛合わせ部１２１の間で仕上シート３０を挟み、仕上シート３０を浮かせた状態で天井材１０に固定する。次いで固定材３００をベース第１部材１００に固定する（同（Ｃ））。仕上シート３０は天井材１０に向かって押しやられ、テンションを増して、天井材１０の内側面１１に密接する。【選択図】  図１
2006089949.tif 000002
【特許請求の範囲】
【請求項１】
建造物の内側面の少なくとも一部であり仕上を行う対象となる対象面を、伸張性を有する膜材である仕上シートによって覆うことにより、建造物の内側面の仕上をする場合に、
前記対象面よりも小さな仕上シートの端部の少なくとも一部を、前記対象面の端部、もしくはその近傍で固定して、テンションを与えた状態で前記仕上シートを前記対象面に密接させることにより、前記対象面を前記仕上シートで覆うようにした、
建造物の内側面の仕上方法。
【請求項２】
前記仕上シートの端部の少なくとも一部を、前記対象面の端部、もしくはその近傍で固定する際に、
前記仕上シートがテンションを与えられ、且つ前記対象面から浮いた状態となるようにしながら、前記仕上シートの端部の少なくとも一部を、前記対象面から浮かせた状態で、前記対象面の端部、もしくはその近傍で固定し、
次いで、前記仕上シートの前記対象面と反対側の面に、前記仕上シートを前記対象面との間で挟んだ状態で前記対象面と固定を行える固定部材を押し当て、この固定部材を前記対象面の端部、もしくはその近傍で固定するようにした、
請求項１記載の建造物の内側面の仕上方法。
【請求項３】
前記内側面は、防火材によって形成されている、
請求項１又は２記載の建造物の内側面の仕上方法。
【請求項４】
前記対象面の端部、もしくはその近傍への前記仕上シートの端部の固定を、着脱自在なものとする、
請求項１〜３のいずれか１項に記載の建造物の内側面の仕上方法。
【請求項５】
建造物の内側面の少なくとも一部であり仕上を行う対象となる対象面を、伸張性を有する膜材である仕上シートによって覆うことにより、建造物の内側面の仕上をする場合に用いる固定用器具であって、
前記対象面の端部、もしくはその近傍に固定されるものであり、前記仕上シートがテンションを与えられ、且つ前記対象面から浮いた状態となるようにしながら、前記仕上シートの端部の少なくとも一部を、前記対象面から浮かせた状態で、前記対象面の端部、もしくはその近傍に固定することのできる固定部を有するベース部材と、
前記固定部によりその端部を固定された前記仕上シートに、前記対象面と反対側の面から押し当てられ、前記仕上シートを挟んだ状態で前記対象面と固定を行える固定部材と、
を含んでおり、
前記仕上シートを前記対象面に密接させた状態で前記対象面を前記仕上シートで覆えるようになっている、
固定用器具。
【請求項６】
前記固定部材は、前記ベース部材に固定できるようにされてなる、
請求項５記載の固定用器具。
【請求項７】
前記ベース部材は、前記対象面、もしくはその近傍に固定されるベース第１部材と、ベース第１部材に固定されるベース第２部材とを備えているとともに、
前記ベース第１部材は、それが前記対象面に対して固定されたときに前記対象面に対して略垂直となる面である第１噛合い部を、前記ベース第２部材は、それが前記ベース第１部材に対して固定されたときに前記第１噛合い部との間で僅かな隙間を空けて対向する面である第２噛合い部を、それぞれ備えており、
前記対象面に固定した前記ベース第１部材に前記ベース第２部材を固定する際に、前記第１噛合い部と前記第２噛合い部の間に前記仕上シートの端部を挟持することにより、前記仕上シートの端部の固定を行えるようになっている、
請求項５記載の固定用器具。
【請求項８】
前記第１噛合い部と前記第２噛合い部のうち、前記仕上シートの中心に近い側のものは、
前記仕上シートの端部を、前記第１噛合い部の前記対象面から遠い側である先端部分、又は前記第２噛合い部の前記対象面から遠い側である先端部分を回り込ませた状態で、前記第１噛合い部と前記第２噛合い部のうち、前記仕上シートの中心から遠い側のものとの間で前記挟持を行うようになっており、
且つ前記仕上シートの端部が前記仕上シートの前記中心に向かって引っ張られた場合には、前記先端側が、前記第１噛合い部と前記第２噛合い部のうち、前記仕上シートの中心から遠い側のものから遠ざかるものの、前記先端側と反対側に位置する基端側が、前記第１噛合い部と前記第２噛合い部のうち、前記仕上シートの中心から遠い側のものに近づくようにされてなる、
請求項７記載の固定用器具。
【発明の詳細な説明】
【技術分野】
【０００１】
本発明は、建造物の内側面の仕上を行うための技術に関する。
【背景技術】
【０００２】
建造物の内側面（本願では、『内側面』の語は、壁面、天井面、床面のいずれをも含む意味で用いるが、本願では主に、壁面と天井面を意味する。）は、仕上材で覆うことによって仕上される。
仕上材は、例えば、タイル材やパネル材、或いは、膜材である仕上シートである。最も頻繁に使用される仕上シートの例として、壁紙を挙げることができる。
【０００３】
ところで、仕上シートによって建造物の内側面を覆う場合には、仕上シートを内側面に、例えば接着剤を用いて貼り付けるのが通常である。このような液体、或いはそれに類するものを用いる工程を湿式工程と呼ぶのであるが、このような湿式工程は接着剤が垂れ落ちたりすることによる汚れを防止する必要がある、また、養生の期間が必要となるなど面倒が多い。また、接着剤を使用するとハウスシックの問題も生じがちである。
【０００４】
このような点を考慮すれば、仕上シートを、建造物の内側面に対して、湿式工程を経ずに取付けることができればよいということになる。実際、膜材である仕上シートを建造物の内側面の手前に配すことで、内側面の仕上を行うことが提案されている。しかしながら、従来の技術では、仕上シートと建造物の内側面の間に隙間があるものしか存在せず、内側面の手前に配された仕上シートは内側面から浮いた状態となっている。これでは、室内スペースの無駄が生じる。
また、例えば、日本の法律の規定では、２００平方ｍ以下の居室（主に一般住宅の居室が想定されている）、及び１００平方ｍ以下（共同住宅は２００平方ｍ以下）に防火区画された部屋（主にマンション等の共同住宅の居室が想定されている）などを除く居室、階段、通路の内装について、防火対策という観点から厳しい法規制があるため（主に、建築基準法第３５条の２による。）、内側面から浮かせた状態で仕上シートを配すると違法になるおそれがある。
【特許文献１】実開昭６３−１０２８１５号公報
【特許文献２】特開平１１−１５９０５１号公報
【特許文献３】特開平３−５１４５５号公報
【特許文献４】特開平９−３０２８３７号公報
【発明の開示】
【発明が解決しようとする課題】
【０００５】
本発明は、以上のような観点から創案されたものであり、建造物の内側面を仕上シートで覆って内側面の仕上を行うにあたって、湿式工程が不要であり、且つ仕上シートと建造物の内側面の間に隙間が生じないようにするための技術を提供することをその課題とする。
【課題を解決するための手段】
【０００６】
上述の課題を解決するための本願発明は、以下のようなものである。
本願発明は、建造物の内側面の少なくとも一部であり仕上を行う対象となる対象面を、伸張性を有する膜材である仕上シートによって覆うことにより、建造物の内側面の仕上をする建造物の内側面の仕上方法である。この仕上方法では、前記対象面よりも小さな仕上シートの端部の少なくとも一部を、前記対象面の端部、もしくはその近傍で固定して、テンションを与えた状態で前記仕上シートを前記対象面に密接させることにより、前記対象面を前記仕上シートで覆う。
この仕上方法では、仕上シートにテンションをかけた状態で、建造物の内側面に対して密接させるようにして仕上シートを配することとしているので、建造物の内側面を仕上シートで覆って内側面の仕上を行うにあたって、湿式工程が不要であり、且つ仕上シートと建造物の内側面の間に隙間が生じない。したがって、この仕上方法によれば、湿式工程につきものの面倒がなく、また、上述の法規制によって仕上シートを使えないという事態も防ぎ得る。
なお、内側面は、仕上が行われていない面であるのが通常であるが、仕上が既に行われている面であっても構わない。即ち、既に仕上が行われており、例えば壁紙が貼られている内側面の対象面に対して更に仕上シートを重ねる場合にも、本願発明を用いることもできる。つまり、本願発明は、いわゆるリフォームにも応用することができる。
なお、対象面の端部、もしくはその近傍への仕上シートの固定は、仕上シートにテンションを与える必要のあることを考慮すれば、その外周の全体か、或いは複数箇所行うことが好ましい。例えば、矩形の仕上シートを用いるのであれば、すべての辺を固定する、対向する辺の一組を固定する、或いはその四隅を固定するなどすればよい。
また、対象面の端部、もしくはその近傍への仕上シートの固定を行う場合には、固定を行う箇所のそれぞれを、所定の長さに亘るものとすることができる。矩形の仕上シートを用いる際に、すべての辺を固定する場合、或いは、対向する辺の一組を固定する場合などが、この例に該当する。
【０００７】
この仕上方法では、前記対象面の端部、もしくはその近傍への前記仕上シートの端部の少なくとも一部の固定は、湿式工程に頼らないものであればどのように行っても構わない。例えば木ネジを仕上シートの端部を貫通させるようにして対象面に螺合させることにより、仕上シートの端部を対象面の端部に固定することができる。
他方、前記対象面の端部、もしくはその近傍への前記仕上シートの端部の少なくとも一部の固定を、着脱自在なものとすることも可能である。
一般に、仕上シートを建造物の内側面に貼り付けた場合には、仕上シートの貼り換えには非常に大きな手間がかかる。他方、前記対象面の端部への前記仕上シートの端部の固定を着脱自在なものとしておけば、仕上シートの貼り換えが非常に楽である。それのみならず、対象面の端部への前記仕上シートの端部の少なくとも一部の固定を、着脱自在なものとしておけば、接着によっては不可能だった再利用可能な形での内側面からの仕上シートの取外しが可能となるため、汚れた仕上シートの洗浄を容易に行えるようになる。このように、対象面の端部への前記仕上シートの端部の固定を着脱自在なものとすることによる利益は大きい。
【０００８】
また、前記仕上シートの端部の少なくとも一部を、前記対象面の端部、もしくはその近傍で固定する際には、前記仕上シートがテンションを与えられ、且つ前記対象面から浮いた状態となるようにしながら、前記仕上シートの端部の少なくとも一部を、前記対象面から浮かせた状態で、前記対象面の端部、もしくはその近傍で固定し、次いで、前記仕上シートの前記対象面と反対側の面に、前記仕上シートを前記対象面との間で挟んだ状態で前記対象面と固定を行える固定部材を押し当て、この固定部材を前記対象面の端部、もしくはその近傍で固定するようにしてもよい。
このようにすれば、固定部材を対象面に対して押込んでいく過程で仕上シートが伸び、それにより仕上シートにかかるテンションを大きくすることができる。これにより、対象面に固定された仕上シートに十分なテンションを掛け易くなるので、仕上シートを対象面に密着させるに好適であり、且つ対象面に固定された仕上シートがぴんと張るので、その美観を良好なものにできる。また、この仕上方法によれば、対象面から浮かせた状態で仕上シートを対象面の端部、或いはその近傍に固定する際に仕上シートにかけるべきテンションを、仕上シートに最終的にかけるべきテンションよりも小さくできるので、対象面から浮かせた状態で仕上シートを対象面の端部、或いはその近傍に固定する作業を行いやすくなる。
【０００９】
本願発明において、内側面は、防火材によって形成されていてもよい。
上述の法規制によれば、内側面に密接しているものは内側面の一部として把握される。つまり、本願発明の仕上方法によって内側面に密接することになった仕上シートは、内側面と一体であるとみなされる。
ここで、内側面が防火材によって形成されていれば、仕上シートを含む内側面全体が、上述の法規制があったとしても、防火材によって形成されているとみなされる可能性が高い。したがって、内側面が防火材によって形成されていれば、本願発明による仕上方法を用いることが、上述の法規制との関係で問題となる可能性を抑制できる。
上述したリフォームに本願発明による仕上方法を用いた場合、それによって得られた最終的な内側面は、元の内側面が防火材によって形成されている限り、防火材によって形成されているとみなされる可能性が高い。
なお、本願発明における『防火材』とは、不燃、準不燃、難燃のいずれかに相当するものであり、１つの部材でできている場合、複数の部材でできている場合の双方を含むものである。
【００１０】
本願発明は、以下のような固定用器具をも提供する。以下に説明する固定用器具は、本願発明の仕上方法を実行する際に用いることができるものである。
本願発明による固定用器具は、建造物の内側面の少なくとも一部であり仕上を行う対象となる対象面を、伸張性を有する膜材である仕上シートによって覆うことにより、建造物の内側面の仕上をする場合に用いる固定用器具である。そして、前記対象面の端部、もしくはその近傍に固定されるものであり、前記仕上シートがテンションを与えられ、且つ前記対象面から浮いた状態となるようにしながら、前記仕上シートの端部の少なくとも一部を、前記対象面から浮かせた状態で、前記対象面の端部、もしくはその近傍に固定することのできる固定部を有するベース部材と、前記固定部によりその端部を固定された前記仕上シートに、前記対象面と反対側の面から押し当てられ、前記仕上シートを挟んだ状態で前記対象面と固定を行える固定部材と、を含んでおり、前記仕上シートを前記対象面に密接させた状態で前記対象面を前記仕上シートで覆えるようになっている。
この固定用器具を用いれば、仕上シートの少なくとも一部を対象面の端部、もしくはその近傍に固定するのが容易であり、且つ固定されたその仕上シートにかかるテンションを大きくすることが容易になる。
上述の固定部材は、対象面の端部、もしくはその近傍に固定できればよい。例えば、前記固定部材は、前記ベース部材に固定できるようにされていてもよい。この場合、固定部材は、ベース部材を介して対象面の端部、もしくはその近傍に固定されることになる。
固定用器具を用いて行う仕上シートの端部の固定は、どのように行われても構わない。
例えば、前記ベース部材は、前記対象面、もしくはその近傍に固定されるベース第１部材と、ベース第１部材に固定されるベース第２部材とを備えているとともに、前記ベース第１部材は、それが前記対象面に対して固定されたときに前記対象面に対して略垂直となる面である第１噛合い部を、前記ベース第２部材は、それが前記ベース第１部材に対して固定されたときに前記第１噛合い部との間で僅かな隙間を空けて対向する面である第２噛合い部を、それぞれ備えているものとし、前記対象面に固定した前記ベース第１部材に前記ベース第２部材を固定する際に、前記第１噛合い部と前記第２噛合い部の間に前記仕上シートの端部を挟持することにより、前記仕上シートの端部の固定を行えるようにすることができる。このようにすれば、仕上シートにかかる張力方向（対象面に平行な方向）が、固定されている仕上シートの方向（対象面に対して略垂直な方向）と異なるものであるので、仕上シートに大きな張力がかかった場合であっても、ベース部材から仕上シートが脱落しづらくなる。
この場合、前記第１噛合い部と前記第２噛合い部のうち、前記仕上シートの中心に近い側のものは、前記仕上シートの端部を、前記第１噛合い部の前記対象面から遠い側である先端部分、又は前記第２噛合い部の前記対象面から遠い側である先端部分を回り込ませた状態で、前記第１噛合い部と前記第２噛合い部のうち、前記仕上シートの中心から遠い側のものとの間で前記挟持を行うようになっており、且つ前記仕上シートの端部が前記仕上シートの前記中心に向かって引っ張られた場合には、前記先端側が、前記第１噛合い部と前記第２噛合い部のうち、前記仕上シートの中心から遠い側のものから遠ざかるものの、前記先端側と反対側に位置する基端側が、前記第１噛合い部と前記第２噛合い部のうち、前記仕上シートの中心から遠い側のものに近づくようにすることができる。このようにすれば、第１噛合い部と第２噛合い部の全体でその隙間が大きくなることがないので、仕上シートのベース部材からの脱落を更に防ぎやすくなる。
なお、仕上シートの端部が仕上シートの中心に向かって引っ張られた場合に、その先端側が、前記第１噛合い部と前記第２噛合い部のうち、前記仕上シートの中心から遠い側のものから遠ざかるものの、前記先端側と反対側に位置する基端側が、第１噛合い部と第２噛合い部のうち、仕上シートの中心から遠い側のものに近づくようにすることは、第１噛合い部と第２噛合い部のうち仕上シートの中心に近いものを、ベース第１部材もしくはベース第２部材と、第１噛合い部又は第２噛合い部の背面のうち先端部分以外の部分（より好ましくは、先端部分と基端部分の中心よりは、基端部分よりの部分）で接続しておけばよい。
【発明を実施するための最良の形態】
【００１１】
以下、本発明の好ましい第１〜第４実施形態を、図面を参照しながら説明する。第１〜第４実施形態において、重複する部分には同じ符号を付し、また、重複する説明は適宜省略するものとする。
【００１２】
≪第１実施形態≫
第１実施形態では、建造物の内側面の一部である矩形の部分を仕上を行うべき矩形である対象面とし、その対象面を、その対象面よりも一回り小さい矩形のシート材である仕上シートで覆うことにより、その対象面に対して仕上を行うものとする。なお、仕上シートは、伸張性を有しており、この実施形態では布、より詳細には、ポリエステル製の織布とされている。仕上シートは、伸張性を有する編物であってもよい。
なお、この実施形態では、内側面は、天井面であるが、内側面は、天井面に限らず、壁面などであってもよい。
また、この実施形態では、対象面の形状、仕上シートの形状は、適宜変更可能である。
【００１３】
図１（Ａ）に示したように、第１実施形態における仕上方法を実施するにあたっては、まず、ベース第１部材１００を、天井材１０に固定する。天井材１０は、天井を構成する防火材であるパネルであり、その下面が内側面１１となる。
【００１４】
ベース第１部材１００は、図１（Ａ）に示すような断面形状とされた長尺材である。その長さ（図１（Ａ）〜（Ｃ）における紙面に垂直な方向の長さ）は、矩形である対象面のうちの向かい合う一組の辺の長さと略同一とされている。ベース第１部材１００は、この実施形態では、矩形である対象面のうちの向かい合う一組の辺に沿って２本固定される。なお、図１（Ａ）〜（Ｃ）は、本来であれば左右対象となるのであるが、右側部分の図示を省略している。
ベース第１部材１００は、これには限られないがこの実施形態では金属製とされており、より詳細にはアルミでできている。
ベース第１部材１００は、図１（Ａ）に示したように、断面略Ｌ字形状とされている。ベース第１部材１００の断面形状は、後述するネジ孔１１１の有無を除いていずれの部分でも同一となっている。
ベース第１部材１００のＬ字形状の一辺に対応する部分が、天井材１０の内側面１１に当接させられる当接部１１０である。当接部１１０には、ネジ孔１１１が穿設されている。このネジ孔１１１は、ベース第１部材１００の長さ方向の所定の位置に、所定の間隔を空けて設けられた円形の孔である。このネジ孔１１１は、木ネジ２０を貫通させられる大きさとなっている。ネジ孔１１１を貫通させた木ネジ２０の先端を、天井材１０に螺合させることにより、ベース第１部材１００は、天井材１０の内側面１１に固定されることになる。
当接部１１０には、また、第１係合溝１１２が設けられている。第１係合溝１１２は、断面略Ｃ字形状とされた溝である。第１係合溝１１２は、その開口部分の幅がその直径部分の幅よりも若干狭くなるようにされている。
当接部１１０から、この実施形態では垂直に立ち上がっているのが背面板１２０である。背面板１２０は、そのＬ字形状の内側面に、鋸歯形状の第１噛合せ部１２１を備えている。この第１噛合せ部１２１は、鋸歯形状が、当接部１１０方向を向くように形成されている。
背面板１２０の先端には、第２係合溝１２２が設けられている。第２係合溝１２２は、その断面が、奥に向かって広がる台形形状とされている。
【００１５】
ベース第１部材１００を天井材１０に固定したら、次に、図１（Ｂ）に示したようにして、２本のベース第２部材２００をベース第１部材１００のそれぞれに固定する。ベース第２部材２００は、ベース第１部材１００と合せて、本願発明におけるベース部材となるものである。なお、ベース第２部材２００をベース第１部材１００に固定する際に、ベース第１部材１００とベース第２部材２００に対する仕上シート３０の固定も行われる。これについては後述する。
【００１６】
ベース第２部材２００は、図１（Ｂ）に示すような断面形状とされた長尺材である。その長さは、ベース第１部材１００の長さと同じにされている。
ベース第２部材２００は、これには限られないがこの実施形態では金属製とされており、より詳細にはアルミでできている。
ベース第２部材２００は、図１（Ｂ）に示したように、断面略コの字形状とされている。ベース第２部材２００の断面形状は、すべての部分で同一となっている。
ベース第２部材２００のコの字形状の内側には、断面略円形とされた第１係合部２１０が設けられている。この第１係合部２１０の外周面は、ベース第１部材１００の第１係合溝１１２の内周面に略対応した形状とされている。第１係合部２１０は強い力で押すことにより、第１係合溝１１２の内部に押込むことができる。第１係合部２１０を第１係合溝１１２に押込むことにより、ベース第２部材２００をベース第１部材１００に固定できるようになっている。第１係合部２１０の厚さが最も大きくなっている、円形の断面の高さ方向の中心部分は、第１係合溝１１２の開口部分の幅よりも大きくなっている。したがって、第１係合溝１１２に押込まれた第１係合部２１０は、ある程度大きな一定以上の力を加えない限り、第１係合溝１１２から容易には抜け落ちない。
他方、ベース第２部材２００の、ベース第１部材１００の背面板１２０と対向する面には、上述した第１噛合せ部１２１と同様の鋸歯形状とされた第２噛合せ部２２０が設けられている。この第２噛合せ部２２０は、ベース第２部材２００がベース第１部材１００に固定されたときに、ベース第１部材１００の第１噛合せ部１２１との間でほんの僅かの隙間（少なくとも仕上シート３０の厚さよりも小さい隙間）を空けて向かい合う。
２つのベース第２部材２００を２つのベース第１部材１００に固定する際に（なお、このとき、ベース第１部材１００とベース第２部材２００の長さ方向の端部を揃える。）、矩形の仕上シート３０の向かい合う辺の端部を、第１噛合せ部１２１と第２噛合せ部２２０で一定の幅だけ挟み込むことで、ベース第１部材１００、及びベース第２部材２００を組合わせてなるセットのそれぞれに、仕上シート３０の端部が固定されることになる。仕上シート３０を固定する場合の向きを、仕上シート３０の向きが対象面と対応するようにすることで、この状態で、対象面の全面が仕上シート３０で覆われることになる。なお、この状態では、仕上シート３０は、図１（Ｂ）に示したように対象面から浮いた状態となっている。また、仕上シート３０は、対象面よりも小さいので、この状態で仕上シート３０には一定のテンションがかかっている。
【００１７】
次に、固定材３００を、ベース第１部材１００に固定する。固定材３００は、仕上シート３０に対して、対象面の反対の面側から押し当てられ、仕上シート３０をベース第１部材１００、及びベース第２部材２００との間で挟んだ状態で、ベース第１部材１００に固定される。
固定材３００は、図１（Ｃ）に示すような断面形状とされた長尺材である。その長さは、ベース第１部材１００の長さと同じである。
固定材３００は、これには限られないがこの実施形態では金属製とされており、より詳細にはアルミでできている。
固定材３００は、図１（Ｃ）に示したように、断面略Ｌ字形状とされている。固定材３００の断面形状は、すべての部分で同一となっている。
固定材３００のＬ字形状の一辺に対応する、固定材３００がベース第１部材１００に固定されたときに天井材１０と略垂直になる部分が押接部３１０である。この押接部３１０は、その先端が、固定材３００がベース第１部材１００に固定されたときに天井材１０との間で僅かな隙間を空けるようにされている。したがって、２つの固定材３００のそれぞれが、２つのベース第１部材１００にそれぞれ固定されたときに、仕上シート３０は、天井材１０に密接することになる。
固定材３００のＬ字形状の一辺に対応する、固定材３００がベース第１部材１００に固定されたときに天井材１０と略水平になる部分がカバー部３２０である。このカバー部３２０は、ベース第１部材１００とベース第２部材２００を隠し、美観を高める機能を有している。カバー部３２０の先端には、第２係合部３２１が設けられている。第２係合部３２１は、第２係合溝１２２と略対応する台形形状とされている。第２係合部３２１は強い力で押すことにより、第２係合溝１２２の内部に押込むことができる。第２係合部３２１を第２係合溝１２２に押込むことにより、固定材３００をベース第１部材１００に固定できるようになっている。第２係合部３２１の先端部分の幅は、第２係合溝１２２の開口部分の幅よりも大きくなっている。したがって、第２係合溝１２２に押込まれた第２係合部３２１は、ある程度大きな一定以上の力を加えない限り、第２係合溝１２２から容易には抜け落ちない。
２つの固定材３００を２つのベース第１部材１００に固定すると、仕上シート３０は押接部３１０の先端により対象面側に押しやられる。これによって、仕上シート３０にかかるテンションは、それまでよりも大きくなり、仕上シート３０はより対象面に密接することになる。
なお、仕上シート３０の特に中央に近い部分は対象面から若干浮く場合がある。この実施形態のように対象面が天井の場合には、下向きの荷重が仕上シート３０にかかるため、特にそのようなことが起こり易い。もっとも、そのようなことがあったとしても、仕上シート３０は実質的に、対象面に密接させられる。施工に問題がなければ、対象面と仕上シート３０の間の距離を、仕上シート３０の厚さの３倍程度に収めることができる。
【００１８】
なお、上述したように、一定以上の力をかけることにより、固定材３００とベース第２部材２００は、ベース第１部材１００から取外すことができる。仕上シート３０を交換したい場合や、仕上シート３０を洗浄したい場合など、仕上シート３０を対象面から取外したい場合には、固定材３００とベース第２部材２００を、ベース第１部材１００から取外せばよい。
そうすることにより、仕上シート３０を対象面から取外すことができる。
その後、例えば洗浄後のその仕上シート３０、或いは交換用の他の仕上シート３０を対象面に取付けることももちろん可能である。その場合には、上述した仕上方法を再度実行すればよい。
【００１９】
なお、以上説明した実施形態では、矩形の対象面の向かい合った所定の２辺に、その２辺の長さに対応したベース第１部材１００、ベース第２部材２００、及び固定材３００を取付けて、仕上シート３０にテンションをかけるようにしたが、ベース第１部材１００、ベース第２部材２００、及び固定材３００の長さはそれが取付けられる部分の対象面端部の辺の長さに必ずしも一致している必要はない。対象面の所定の一辺の長さの例えば１／５程度の長さのベース第１部材１００、ベース第２部材２００、及び固定材３００を用いることもできるし、その一辺に、対象面の所定の一辺の長さの例えば１／５程度の長さのベース第１部材１００、ベース第２部材２００、及び固定材３００を複数箇所、例えば２箇所取り付けるようにすることもできる。
また、以上説明した実施形態では、矩形の対象面の向かい合った所定の２辺に、その２辺の長さに対応したベース第１部材１００、ベース第２部材２００、及び固定材３００を取付けて、仕上シート３０に１方向にのみテンションをかけるようにしたが、対象面の向かい合った他の２辺にも、ベース第１部材１００、ベース第２部材２００、及び固定材３００を取付けて、仕上シート３０に２方向でテンションをかけるようにしてもよい。
また、対象面ないし仕上シート３０の端部がカーブしている場合には、ベース第１部材１００、ベース第２部材２００、及び固定材３００を、対象面の端部のカーブに対応させてカーブさせることもできる。
【００２０】
≪第２実施形態≫
本願発明の第２実施形態について説明する。第２実施形態では、第１実施形態と同様に、建造物の内側面の一部である矩形の部分を仕上を行うべき矩形である対象面とし、その対象面を、その対象面よりも一回り小さい矩形のシート材である仕上シートで覆うことにより、その対象面に対して仕上を行うものとする。用いる仕上シートは、第１実施形態の場合と同様である。
【００２１】
図２（Ａ）に示したように、第２実施形態における仕上方法を実施するにあたっては、まず、ベース第１部材１００を、天井材１０に固定する。天井材１０は、第１実施形態の場合と同様のものを用いる。
【００２２】
ベース第１部材１００は、図２（Ａ）に示すような断面形状とされた長尺材である。その長さは、矩形である対象面のうちの向かい合う一組の辺の長さと略同一とされている。ベース第１部材１００は、この実施形態では、矩形である対象面のうちの向かい合う一組の辺に沿って２本固定される。なお、図２（Ａ）〜（Ｃ）は、本来であれば左右対象となるのであるが、右側部分の図示を省略している。
ベース第１部材１００は、これには限られないがこの実施形態では金属製とされており、より詳細にはアルミでできている。
ベース第１部材１００は、図２（Ａ）に示したように、断面略Ｌ字形状とされている。ベース第１部材１００の断面形状は、後述するネジ孔１１３の有無を除いていずれの部分でも同一となっている。
ベース第１部材１００は、天井材１０の内側面１１に当接させられる当接部１１０を備えている。当接部１１０には、ネジ孔１１３が穿設されている。このネジ孔１１３は、ベース第１部材１００の長さ方向の所定の位置に、所定の間隔を空けて設けられた円形の孔である。このネジ孔１１３は、後述する木ネジ２０を貫通させられる大きさとなっている。ただし、第１実施形態の場合と異なり、このネジ孔１１３はベース第１部材１００を内側面１１に固定した図２（Ａ）に示す状態では使われない。この実施形態では、当接部１１０の内側面１１と当接する側の面に両面テープを貼るなどして、ベース第１部材１００を内側面１１に固定する。この状態でのベース第１部材１００の内側面１１に対する固定は、仮止め程度でよい。
当接部１１０から、この実施形態では垂直に立ち上がっているのが背面板１２０である。背面板１２０は、そのＬ字形状の内側面に、鋸歯形状の第１噛合せ部１２１を備えている。この第１噛合せ部１２１は、鋸歯形状が、当接部１１０方向を向くように形成されている。
【００２３】
ベース第１部材１００を天井材１０に固定したら、次に、図２（Ｂ）に示したようにして、２本のベース第２部材２００をベース第１部材１００のそれぞれに固定する。ベース第２部材２００をベース第１部材１００に固定する際に、ベース第１部材１００とベース第２部材２００に対する仕上シート３０の固定も行われる。
【００２４】
ベース第２部材２００は、図２（Ｂ）に示すような断面形状とされた長尺材である。その長さは、ベース第１部材１００の長さと同じにされている。
ベース第２部材２００は、これには限られないがこの実施形態では金属製とされており、より詳細にはアルミでできている。
ベース第２部材２００は、図２（Ｂ）に示したように、断面略Ｌ字形状を基本とした形状とされている。ベース第２部材２００の断面形状は、後述するネジ孔２３１の有無をのぞいてすべての部分で同一となっている。
ベース第２部材２００は、ベース第１部材１００の当接部１１０に当接させられる板状の基部２３０を備えている。基部２３０にはネジ孔２３１が設けられている。このネジ孔２３１は、当接部１１０に設けられたネジ孔１１３と同じ大きさとなっている。ネジ孔２３１とネジ孔１１３をまとめて貫通させた木ネジ２０をそのまま天井材１０に螺合させることにより、ベース第２部材２００のベース第１部材１００への固定がなされることになる。また、このときに、ベース第１部材１００の天井材１０への強固な固定がなされることになる。
基部２３０には、また、基部２３０から垂直方向に立ち上げられた第３係合部２３２が設けられている。この第３係合部２３２の厚さ方向の両面には、鋸歯形状の第３噛合せ部２３３が設けられている。第３噛合わせ部２３３は、鋸歯形状が、基部２３０の方を向くように形成されている。
基部２３０から、この実施形態では垂直に立ち上がっているのが背面部２４０である。背面部２４０は、そのＬ字形状の外側面に、鋸歯形状の第２噛合せ部２２０を備えている。この第２噛合せ部２２０は、鋸歯形状が、基部２３０方向を向くように形成されている。この第２噛合せ部２２０は、ベース第２部材２００がベース第１部材１００に固定されたときに、ベース第１部材１００の第１噛合せ部１２１との間でほんの僅かの隙間（少なくとも仕上シート３０の厚さよりも小さい隙間）を空けて第１噛合せ部１２１と向かい合う。
２つのベース第２部材２００を２つのベース第１部材１００に固定する際に、矩形の仕上シート３０の向かい合う辺の端部を、第１噛合せ部１２１と第２噛合せ部２２０で一定の幅だけ挟み込むことで、ベース第１部材１００、ベース第２部材２００のセットのそれぞれに、仕上シート３０の端部を固定する。この状態では、仕上シート３０は、図２（Ｂ）に示したように対象面から浮いた状態となっており、また、仕上シート３０には一定のテンションがかかっている。
【００２５】
次に、固定材３００を、ベース第２部材２００に固定する。固定材３００は、仕上シート３０に対して、対象面の反対の面側から押し当てられ、仕上シート３０をベース第１部材１００及びベース第２部材２００との間で挟んだ状態で、ベース第２部材２００に固定される。
固定材３００は、図２（Ｃ）に示すような断面形状とされた長尺材である。その長さは、ベース第１部材１００の長さと同じである。
固定材３００は、これには限られないがこの実施形態では金属製とされており、より詳細にはアルミでできている。
固定材３００は、図２（Ｃ）に示したような、断面形状とされている。固定材３００の断面形状は、すべての部分で同一となっている。
固定材３００は、押接部３１０を備えている。押接部３１０は、固定材３００がベース第２部材２００に固定されたときに天井材１０と略垂直になる部分である。押接部３１０は、その先端が、固定材３００がベース第２部材２００に固定されたときに天井材１０との間で僅かな隙間を空けるようにされている。したがって、２つの固定材３００が２つのベース第２部材２００に固定されたときに、仕上シート３０は、天井材１０に密接することになる。
固定材３００は、また、カバー部３２０を備えている。カバー部３２０の天井材１０と対向する側の面には、断面略Ｕ字形状とされた第３係合溝３２２が設けられている。第３係合溝３２２の幅は、第３係合部２３２の厚みと略同一となるようになっている。また、第３係合溝３２２の先端には係合爪３２３が設けられている。この係合爪３２３は、第３係合部２３２に設けられた第３噛合せ部２３３と噛み合うようになっている。ただし、第３噛合わせ部２３３は、その鋸歯形状が基部２３０の方を向いているので、係合爪３２３は、第３係合溝３２２に第３係合部２３２を押し込む場合には第３噛合わせ部２３３と係合しないが、第３係合溝３２２から第３係合部２３２を抜こうとする場合には第３噛合わせ部２３３と係合するようになっている。したがって、ベース第２部材２００に固定された固定材３００は、ベース第２部材２００から容易には脱落しない。
２つの固定材３００を２つのベース第２部材２００に固定すると、仕上シート３０は押接部３１０の先端により対象面側に押しやられる。これによって、仕上シート３０にかかるテンションは、それまでよりも大きくなる。
【００２６】
なお、この実施形態では、ベース第１部材１００を天井材１０に仮止めしてから、そのベース第１部材１００に、ベース第２部材２００と仕上シート３０を固定することとした。ただし、ベース第１部材１００を天井材１０に仮止めせずに、ベース第１部材１００、ベース第２部材２００、及び仕上シート３０を組み合わせ、それらをまとめて、木ネジ２０によって天井材１０に固定するようにしてもよい。
【００２７】
≪第３実施形態≫
本願発明の第３実施形態について説明する。第３実施形態では、第１実施形態と同様に、建造物の内側面の一部である矩形の部分を仕上を行うべき矩形である対象面とし、その対象面を、その対象面よりも一回り小さい矩形のシート材である仕上シートで覆うことにより、その対象面に対して仕上を行うものとする。用いる仕上シートは、第１実施形態の場合と同様である。
【００２８】
図３（Ａ）に示したように、第３実施形態における仕上方法を実施するにあたっては、まず、ベース第１部材１００を、天井材１０に固定する。天井材１０は、第１実施形態の場合と同様のものを用いる。
【００２９】
ベース第１部材１００は、図３（Ａ）に示すような断面形状とされた長尺材である。その長さは、矩形である対象面のうちの向かい合う一組の辺の長さと略同一とされている。ベース第１部材１００は、この実施形態では、矩形である対象面のうちの向かい合う一組の辺に沿って２本固定される。なお、図３（Ａ）〜（Ｃ）は、本来であれば左右対象となるのであるが、右側部分の図示を省略している。
ベース第１部材１００は、これには限られないがこの実施形態では金属製とされており、より詳細にはアルミでできている。
ベース第１部材１００は、図３（Ａ）に示したように、断面略Ｌ字形状とされている。ベース第１部材１００の断面形状は、後述するネジ孔１１３の有無を除いていずれの部分でも同一となっている。
ベース第１部材１００は、天井材１０の内側面１１に当接させられる当接部１１０を備えている。当接部１１０には、ネジ孔１１３が穿設されている。このネジ孔１１３は、ベース第１部材１００の長さ方向の所定の位置に、所定の間隔を空けて設けられた円形の孔である。このネジ孔１１３は、後述する木ネジ２０を貫通させられる大きさとなっている。ただし、第１実施形態の場合と異なり、このネジ孔１１３はベース第１部材１００を内側面１１に固定した図３（Ａ）に示す状態では使われない。この実施形態では、当接部１１０の内側面１１と当接する側の面に両面テープを貼るなどして、ベース第１部材１００を内側面１１に固定する。この状態でのベース第１部材１００の内側面１１に対する固定は、仮止め程度でよい。また、当接部１１０の内側面と当接させない側の面には、断面矩形とされた当接部材１１４と、断面円形状の第４係合部１１５が設けられている。
当接部１１０から、この実施形態では垂直に立ち上がっているのが、背面板１２０、及び中間板１３０である。中間板１３０は、背面板１２０よりも対象面の中心に近い側に設けられている。背面板１２０の先端には、断面略円形の第５係合部１２３が設けられている。中間板１３０の対象面に近い側の面には、鋸歯形状の第１噛合せ部１２１が設けられている。この第１噛合せ部１２１は、鋸歯形状が、当接部１１０方向を向くように形成されている。中間板１３０の第１噛合わせ部１２１の背面には、鋸歯形状の第４噛合せ部１３１が設けられている。
【００３０】
ベース第１部材１００を天井材１０に固定したら、次に、図３（Ｂ）に示したようにして、２本のベース第２部材２００をベース第１部材１００のそれぞれに固定する。ベース第２部材２００をベース第１部材１００に固定する際に、ベース第１部材１００とベース第２部材２００に対する仕上シート３０の固定も行われる。
【００３１】
ベース第２部材２００は、図３（Ｂ）に示すような断面形状とされた長尺材である。その長さは、ベース第１部材１００の長さと同じにされている。
ベース第２部材２００は、図３（Ｂ）に示したように、断面略Ｌ字形状を基本とした形状とされている。ベース第２部材２００の断面形状は、後述するネジ孔２３１の有無をのぞいてすべての部分で同一となっている。
ベース第２部材２００は、ベース第１部材１００の当接部１１０に当接させられる板状の基部２３０を備えている。基部２３０にはネジ孔２３１が設けられている。ネジ孔２３１は、当接部１１０に設けられたネジ孔１１３と同じ大きさとなっている。ネジ孔２３１とネジ孔１１３をまとめて貫通させた木ネジ２０をそのまま天井材１０に螺合させることにより、ベース第２部材２００のベース第１部材１００への固定がなされることになる。また、このときに、ベース第１部材１００の天井材１０への強固な固定がなされることになる。なお、このとき、基部２３０の先端は、ベース第１部材１００に設けられた当接部材１１４に当接する。これにより、ベース第２部材２００はベース第１部材１００に固定する前であっても、ベース第１部材１００の当接部１１０の幅方向に対する位置決めが可能になるので、木ネジ２０をネジ孔２３１とネジ孔１１３をまとめて貫通させるのが容易になる。
基部２３０から、この実施形態では垂直に立ち上がっているのが背面部２４０である。背面部２４０は、そのＬ字形状の外側面に、鋸歯形状の第２噛合せ部２２０を備えている。この第２噛合せ部２２０は、鋸歯形状が、基部２３０方向を向くように形成されている。この第２噛合せ部２２０は、ベース第２部材２００がベース第１部材１００に固定されたときに、ベース第１部材１００の第１噛合せ部１２１との間でほんの僅かの隙間（少なくとも仕上シート３０の厚さよりも小さい隙間）を空けて第１噛合せ部１２１と向かい合う。背面部２４０の第２噛合わせ部２２０と反対側の面には、鋸歯形状の第５噛合わせ部２３４が設けられている。第５噛合せ部２３４は、鋸歯形状が、基部２３０方向を向くように形成されている。
２つのベース第２部材２００を２つのベース第１部材１００に固定する際に、矩形の仕上シート３０の向かい合う辺の端部を、第１噛合せ部１２１と第２噛合せ部２２０で一定の幅だけ挟み込むことで、ベース第１部材１００、ベース第２部材２００のセットのそれぞれに、仕上シート３０の端部を固定する。この状態では、仕上シート３０は、図３（Ｂ）に示したように対象面から浮いた状態となっており、また、仕上シート３０には一定のテンションがかかっている。
【００３２】
次に、固定材３００を、ベース第１部材１００とベース第２部材２００に固定する。固定材３００は、仕上シート３０に対して、対象面の反対の面側から押し当てられ、仕上シート３０を、ベース第１部材１００及びベース第２部材２００との間で挟んだ状態で、ベース第１部材１００及びベース第２部材２００に固定される。
固定材３００は、図３（Ｃ）に示すような断面形状とされた長尺材である。その長さは、ベース第１部材１００の長さと同じである。
固定材３００は、図３（Ｃ）に示したような、略Ｕ字形状の断面形状をしており、すべての部分で同一の断面形状を持つ。
固定材３００は、その内側に溝３３０を備えており、その溝３３０の内側に、鋸歯形状の第６噛合わせ部３３１を備えている。第６噛合せ部３３１は、鋸歯形状が、基部２３０方向を向くようにされている。
固定材３００は、その溝３３０に中間板１３０と背面部２４０を挿入することにより、ベース第１部材１００及びベース第２部材２００に固定される。溝３３０の幅は、中間板１３０と背面部２４０の厚さを加えた幅よりも若干狭くされている。したがって、中間板１３０と背面部２４０を固定材３００の溝に入れると、固定材３００は、仕上シート３０ごと、中間板１３０及び背面部２４０に固定される。このとき仕上シート３０は、固定材３００の第６噛合わせ部３３１と、第４噛合わせ部１３１又は第６噛合わせ部３３１の間で挟み込まれる。これにより、仕上シート３０のベース第１部材１００とベース第２部材２００への固定は強固なものとなる。
次いで、カバー３４０をベース第１部材１００に固定する。カバー３４０は、図３（Ｃ）に示すような断面形状とされた長尺材である。その長さは、ベース第１部材１００の長さと同じである。
カバー３４０は、緩やかに曲がった板状の形状とされている。カバー３４０の断面形状は、すべての部分で同一となっている。
カバー３４０は、その両端に２つの係合爪３４１を備えている。この係合爪３４１は、第４係合部１１５と第５係合部１２３にそれぞれ係止できるようになっている。係合爪３４１を、第４係合部１１５と第５係合部１２３に係止することで、カバー３４０はベース第１部材１００に固定される。係合爪３４１の天井材１０に近い側のものは、対象面に近接するようになっている。したがって、カバー３４０のベース第１部材１００への取付けにより、仕上シート３０は対象面に近接することになる。
【００３３】
≪第４実施形態≫
本願発明の第４実施形態について説明する。第４実施形態では、第１実施形態と同様に、建造物の内側面の一部である矩形の部分を仕上を行うべき矩形である対象面とし、その対象面を、その対象面よりも一回り小さい矩形のシート材である仕上シートで覆うことにより、その対象面に対して仕上を行うものとする。用いる仕上シートは、第１実施形態の場合と同様である。
【００３４】
図４（Ａ）に示したように、第４実施形態における仕上方法を実施するにあたっては、まず、ベース第１部材１００を、天井材１０に固定する。天井材１０は、第１実施形態の場合と同様のものを用いる。
【００３５】
ベース第１部材１００は、図４（Ａ）に示すような断面形状とされた長尺材である。その長さは、矩形である対象面のうちの向かい合う一組の辺の長さと略同一とされている。ベース第１部材１００は、この実施形態では、矩形である対象面のうちの向かい合う一組の辺に沿って２本固定される。なお、図４（Ａ）〜（Ｃ）は、本来であれば左右対象となるのであるが、右側部分の図示を省略している。
ベース第１部材１００は、これには限られないがこの実施形態では金属製とされている。
ベース第１部材１００は、図４（Ａ）に示したように、断面略Ｌ字形状とされている。ベース第１部材１００の断面形状は、後述するネジ孔１１３の有無を除いていずれの部分でも同一となっている。
ベース第１部材１００は、天井材１０の内側面１１に当接させられる当接部１１０を備えている。当接部１１０には、ネジ孔１１３が穿設されている。このネジ孔１１３は、ベース第１部材１００の長さ方向の所定の位置に、所定の間隔を空けて設けられた円形の孔である。ネジ孔１１３は、木ネジ２０を貫通させられる大きさとなっている。ネジ孔１１３を貫通させた状態で、木ネジ２０を天井材１０に螺合させることで、ベース第１部材１００は、天井材１０の内側面１１に固定される。当接部１１０の内側面１１と当接させない側の面には、断面円形状の第４係合部１１５が設けられている。
当接部１１０から、この実施形態では垂直に立ち上がっているのが、背面板１２０である。背面板１２０の先端部近辺の所定の範囲は、最も先端の一部分を除いて肉厚に形成されている。その肉厚に形成された部分の内側の面には、第１実施形態と同様の第１噛合せ部１２１が設けられている。また、背面板１２０の当接部１１０寄りには、第２係合溝１２２が設けられている。第２係合溝１２２は、その断面が、奥に向かって広がる台形形状とされている。
【００３６】
ベース第１部材１００を天井材１０に固定したら、次に、図４（Ｂ）に示したようにして、２本のベース第２部材２００をベース第１部材１００のそれぞれに固定する。ベース第２部材２００をベース第１部材１００に固定する際に、ベース第１部材１００とベース第２部材２００に対する仕上シート３０の固定も行われる。
【００３７】
ベース第２部材２００は、図４（Ｂ）に示すような断面形状とされた長尺材である。その長さは、ベース第１部材１００の長さと同じにされている。
ベース第２部材２００は、図４（Ｂ）に示したように、断面略Ｔ字形状を基本とした形状とされている。ベース第２部材２００の断面形状は、すべての部分で同一となっている。
ベース第２部材２００は、ベース第１部材１００の当接部１１０に当接させられる板状の基部２３０を備えている。基部２３０の対象面の中心から遠い側の先端には、第６係合部２３５が設けられている。第６係合部２３５は、第２係合溝１２２と略対応する台形形状とされている。第６係合部２３５は強い力で押すことにより、第２係合溝１２２の内部に押込むことができ、そうすることにより、ベース第２部材２００をベース第１部材１００に固定できるようになっている。第６係合部２３５の先端部分の幅は、第２係合溝１２２の開口部分の幅よりも大きくなっている。したがって、第２係合溝１２２に押込まれた第６係合部２３５は、ある程度大きな一定以上の力を加えない限り、第２係合溝１２２から容易には抜け落ちない。
基部２３０から、この実施形態では垂直に立ち上がっているのが中間板２５０である。中間板２５０は、その先端が対象面の中心側から遠い方に向けて曲折されている。中間板２５０の先端には、また、固定板２５１が接続されている。固定板２５１はその先端部分（図４（Ｂ）では下側）と、基端部分（図４（Ｂ）では上側）の中心よりも若干基端部分よりで中間板２５０と接続されている。中間板２５０の対象面の中心から遠い側の面には、鋸歯形状の第２噛合せ部２２０が設けられている。第２噛合せ部２２０は、ベース第２部材２００がベース第１部材１００に固定されたときに、ベース第１部材１００の第１噛合せ部１２１との間でほんの僅かの隙間（少なくとも仕上シート３０の厚さよりも小さい隙間）を空けて第１噛合せ部１２１と向かい合う。
２つのベース第２部材２００を２つのベース第１部材１００に固定する際に、矩形の仕上シート３０の向かい合う辺の端部を、第１噛合せ部１２１と第２噛合せ部２２０で一定の幅だけ挟み込むことで、ベース第１部材１００、ベース第２部材２００のセットのそれぞれに、仕上シート３０の端部を固定する。仕上シート３０は、固定板２５１の先端側から回り込ませた状態で、第１噛合せ部１２１と第２噛合せ部２２０の間で挟持される。
この状態では、仕上シート３０は、図４（Ｂ）に示したように対象面から浮いた状態となっており、また、仕上シート３０には一定のテンションがかかっている。
【００３８】
次に、カバー３４０を、ベース第１部材１００に固定する。カバー３４０は、第３実施形態で説明したものと同様に構成されている。
カバー３４０は、その両端に２つの係合爪３４１を備えている。この係合爪３４１の一方を、ベース第１部材１００の背面板１２０の最も先端の肉厚でない部分と、ベース第２部材２００の第２噛合せ部２２０との間に、他方を第４係合部１１５にそれぞれ係止することで、カバー３４０はベース第１部材１００に固定される。係合爪３４１の天井材１０に近い側のものは、対象面に近接するようになっている。したがって、カバー３４０のベース第１部材１００への取付けにより、仕上シート３０は対象面に近接することになる。
【図面の簡単な説明】
【００３９】
【図１】本発明の第１実施形態による仕上方法の流れを概略で示す図。
【図２】本発明の第２実施形態による仕上方法の流れを概略で示す図。
【図３】本発明の第３実施形態による仕上方法の流れを概略で示す図。
【図４】本発明の第４実施形態による仕上方法の流れを概略で示す図。
【符号の説明】
【００４０】
１０  天井材
１１  内側面
３０  仕上シート
１００  ベース第１部材
１１０  当接部
１１２  第１係合溝
１２０  背面板
１２１  第１噛合せ部
１２２  第２係合溝
２００  ベース第２部材
２１０  第１係合部
２２０  第２噛合せ部
２３０  基部
２３２  第３係合部
２３３  第３噛合せ部
２４０  背面部
３００  固定材
３１０  押接部
３２０  カバー部
３２１  第２係合部
３２２  第３係合溝
【図１】
2006089949.tif 000003
【図２】
2006089949.tif 000004
【図３】
2006089949.tif 000005
【図４】
2006089949.tif 000006